(57)【要約】【課題】本発明は、メモリ送信時の通信効率を向上できるファクシミリ装置を提供することを目的とする。【解決手段】本発明のファクシミリ装置は、複数のメモリ送信に関する送信データを記憶する記憶部（１５）と、メモリ送信の発呼間隔を計時するタイマ（１６）と、メモリ送信時第一相手先に対して再発呼が必要な場合にタイマが計時した再発呼までの時間内に別の相手先のメモリ送信を行うように制御する主制御部（１２）とを有する。【選択図】        図１
2004312580.tif 000002
【特許請求の範囲】
【請求項１】
メモリ送信機能を有するファクシミリ装置において、
複数のメモリ送信に関する送信データを記憶する記憶部と、
メモリ送信の発呼間隔を計時するタイマと、
メモリ送信時第一相手先に対して再発呼が必要な場合に前記タイマが計時した再発呼までの時間内に別の相手先のメモリ送信を行うように制御する主制御部とを有することを特徴とするファクシミリ装置。
【請求項２】
前記主制御部は、前記記憶部に記憶された別の相手先のメモリ送信データのそれぞれのデータ量による通信時間を予測し、予め設定されている再発呼間隔内に通信が完了可能な相手先のメモリ送信を優先して行うように制御する請求項１記載のファクシミリ装置。
【請求項３】
メモリ送信機能を有するファクシミリ装置におけるメモリ送信制御方法において、
メモリ送信時、第一相手先に対して再発呼が必要な場合に再発呼までの時間内に別の相手先のメモリ送信を行うように制御することを特徴とするファクシミリ装置におけるメモリ送信制御方法。
【請求項４】
別の相手先のメモリ送信データのそれぞれのデータ量による通信時間を予測し、予め設定されている再発呼間隔内に通信が完了可能な相手先のメモリ送信を優先して行うように制御する請求項３記載のファクシミリ装置におけるメモリ送信制御方法。
【請求項５】
請求項３又は４に記載のファクシミリ装置におけるメモリ送信制御方法を実行するためのプログラムを格納したコンピュータ読み取り可能な記録媒体。
【発明の詳細な説明】
【０００１】
【発明の属する技術分野】
本発明はファクシミリ装置、ファクシミリ装置におけるメモリ送信制御方法及び該方法を実行するためのプログラムを格納したコンピュータ読み取り可能な記録媒体に関し、詳細にはメモリ送信時の通信効率を向上させるファクシミリ装置に関する。
【０００２】
【従来の技術】
【特許文献１】特開２０００−１０１７０３号公報
【特許文献２】特開平６−７８１２９号公報
一般的にメモリ送信機能を有するファクシミリ装置は、メモリ送信による通信相手先が通話中などによって通信できなかった場合には再発呼機能により、予めファクシミリに設定されている発呼間隔を元に再発呼動作を行う。この再発呼までの時間ファクシミリは再発呼待機状態にあり、別の通信動作を行わないため、複数のメモリ送信が待機されている場合にはこれらの通信を行うまでの時間が遅くなってしまう。そこで、この課題を解決するため、上記特許文献１及び特許文献２では、再発呼間隔や回数を変更できるようにしている。
【０００３】
【発明が解決しようとする課題】
しかしながら、国によっては通信規格として発呼間隔や回数に制限があり、特に発呼間隔に対しては回線の占有を防止する上である程度以上の間隔を開けなければならない。このため、再発呼までの時間を有効に使うことができない。一方、第一相手先への通信が完了せずに再発呼待機になった場合、ファクシミリに設定されている再発呼間隔の時間以上の通信が再発呼待機中に行われてしまうと、例えば第一相手先への通信情報の重要度が高い場合はこの再発呼待機中の別通信により遅れてしまう。また、別の通信が行われていることにより第一相手先への通信が完了したのか再発呼待機中であるかを容易に確認することができない。
【０００４】
本発明はこれらの問題点を解決するためのものであり、メモリ送信時の通信効率を向上できる、ファクシミリ装置、ファクシミリ装置におけるメモリ送信制御方法及び該方法を実行するためのプログラムを格納したコンピュータ読み取り可能な記録媒体を提供することを目的とする。
【０００５】
【課題を解決するための手段】
前記問題点を解決するために、メモリ送信機能を有する、本発明のファクシミリ装置は、複数のメモリ送信に関する送信データを記憶する記憶部と、メモリ送信の発呼間隔を計時するタイマと、メモリ送信時第一相手先に対して再発呼が必要な場合にタイマが計時した再発呼までの時間内に別の相手先のメモリ送信を行うように制御する主制御部とを有することに特徴がある。よって、第一相手先が通話中などによりファクシミリが再発呼待機状態になった際にこの待機時間を利用して他のメモリ送信を行うことができ、通信効率が良くなる。
【０００６】
また、主制御部は、記憶部に記憶された別の相手先のメモリ送信データのそれぞれのデータ量による通信時間を予測し、予め設定されている再発呼間隔内に通信が完了可能な相手先のメモリ送信を優先して行うように制御する。よって、再発呼待機中のファクシミリ通信の再発呼間隔に影響することなく、かつ効率良く通信を行うことが可能となる。
【０００７】
更に、別の発明としてのファクシミリ装置におけるメモリ送信制御方法によれば、メモリ送信時、第一相手先に対して再発呼が必要な場合に再発呼までの時間内に別の相手先のメモリ送信を行うように制御する。よって、通信効率が良くなる。
【０００８】
また、別の相手先のメモリ送信データのそれぞれのデータ量による通信時間を予測し、予め設定されている再発呼間隔内に通信が完了可能な相手先のメモリ送信を優先して行うように制御する。よって、より一層通信効率が向上する。
【０００９】
更に、別の発明として、上記ファクシミリ装置におけるメモリ送信制御方法を実行するためのプログラムを格納したコンピュータ読み取り可能な記録媒体に特徴がある。よって、既存のシステムを変えることなく、メモリ送信制御化システムを汎用的に構築することができる。
【００１０】
【発明の実施の形態】
本発明のファクシミリ装置は、複数のメモリ送信に関する送信データを記憶する記憶部と、メモリ送信の発呼間隔を計時するタイマと、メモリ送信時第一相手先に対して再発呼が必要な場合にタイマが計時した再発呼までの時間内に別の相手先のメモリ送信を行うように制御する主制御部とを有する。
【００１１】
【実施例】
図１は本発明の一実施例に係るファクシミリ装置の構成を示すブロック図である。同図において、ファクシミリ装置１０は、操作表示部１１、主制御部１２、網制御部１３、モデム１４、メモリ１５、タイマ１６を含んで構成されている。モデム１４は網制御部１３を介してＧ３通信を行う。また、メモリ１５には、画情報が蓄積される。主制御部１２はこれら各構成部を制御し、メモリ送信の発呼間隔を決定すると共に、メモリ送信を制御する。タイマ１６は発呼間隔をカウントするタイマである。
【００１２】
次に、このような構成を有する本実施例のファクシミリ装置の動作について動作フローを示す図２に従って説明すると、複数のファクシミリ通信がメモリ送信として図１のメモリ１５に登録されると、図１の主制御部１２の指示に基づいて第一相手先にメモリ送信動作を行う（ステップＳ１０１）。この時相手先が通話中などにより通信が完了しなかった場合（ステップＳ１０２；ＮＯ）には、メモリ１５に別相手先のメモリ送信する待機文書が有るか否かを判断する（ステップＳ１０３）。メモリ送信する待機文書が有れば別の相手先メモリ送信を行う（ステップＳ１０３；ＹＥＳ、ステップＳ１０４）。一方、無ければ再発呼動作手順により予め設定されている再発呼間隔に合わせて、主制御部１２は再発呼待機状態に移行させる（ステップＳ１０３；ＮＯ、ステップＳ１０５）。そして、図１のタイマ１６は再発呼までのカウントを行う。タイマ１６がまだ第一相手先への再発呼を許可していない場合（ステップＳ１０６；ＮＯ）には再度メモリ１５に別相手先データがあるか否かを確認し、ある場合にはこの別相手先に対して発呼動作を行う。そして、主制御部１２は、通信が完了した時点でタイマ１６を確認し、第一相手先への再発呼が可能である場合（ステップＳ１０６；ＹＥＳ）には第一相手先への再発呼動作を行う（ステップＳ１０７）。そして、ステップＳ１０２に戻り第一相手先への通信が完了した場合は次のメモリ送信を行う（ステップＳ１０２；ＹＥＳ、ステップＳ１０８）。なお、再発呼待機中の別相手先への発呼動作時は図１の操作表示部１１に再発呼待機中の相手先番号と再発呼待機中である旨を表示する。よって、第一相手先が通話中などによりファクシミリが再発呼待機状態になった際にこの待機時間を利用して他のメモリ送信を行うことができ、通信効率が良くなる。
【００１３】
図３は本実施例のファクシミリ装置の別の動作を示すフローチャートである。なお、図１のメモリ１５に蓄積されたデータ量から通信時間を予測する機能を組み合わせるものとする。同図において、複数のファクシミリ通信がメモリ送信としてメモリ１５に登録されると、図１の主制御部１２の指示に基づいて第一相手先にメモリ送信動作を行う（ステップＳ２０１）。この時相手先が通話中などにより通信が完了しなかった場合（ステップＳ２０２；ＮＯ）には、メモリ１５に別相手先のメモリ送信する待機文書が有るか否かを判断する（ステップＳ２０３）。メモリ送信する待機文書が有れば当該待機文書のデータ量を確認する（ステップＳ２０３；ＹＥＳ、ステップＳ２０４）。タイマ１６のタイム時間内に別の相手先メモリ送信を行う待機文書が送信可能であるか否かを判断する（ステップＳ２０５）。主制御部１２は第一相手先への再発呼までの残時間を算出して、メモリ１５の中にある時間内に通信可能であると予測されるデータを選択して送信可能な待機文書があれば（ステップＳ２０５；ＹＥＳ）、当該送信可能な待機文書をメモリ送信する（ステップＳ２０６）。一方、無ければ再発呼動作手順により予め設定されている再発呼間隔に合わせて再発呼待機状態に移行する（ステップＳ２０５；ＮＯ、ステップＳ２０７）。そして、タイマ１６は再発呼までのカウントを行う。タイマ１６がまだ第一相手先への再発呼を許可していない場合（ステップＳ２０８；ＮＯ）には、主制御部１２は再度メモリ１５に別相手先データがあるか否かを確認し、有る場合にはこの別相手先に対して発呼動作を行う（ステップＳ２０３；ＹＥＳ、ステップＳ２０４〜Ｓ２０６）。そして、通信が完了した時点で、タイマ１６を確認し、第一相手先への再発呼が可能である場合（ステップＳ２０８；ＹＥＳ）には、主制御部１２は第一相手先への再発呼動作を行う（ステップＳ２０９）。そして、ステップＳ２０２に戻り第一相手先への通信が完了した場合は次のメモリ送信を行う（ステップＳ２０２；ＹＥＳ、ステップＳ２１０）。なお、再発呼待機中の別相手先への発呼動作時は図１の操作表示部１１に再発呼待機中の相手先番号と再発呼待機中である旨を表示する。よって、再発呼待機中のファクシミリ通信の再発呼間隔に影響することなく、かつ効率良く通信を行うことが可能となる。
【００１４】
次に、図４は本発明のシステム構成を示すブロック図である。つまり、同図は上記実施例におけるファクシミリ装置におけるメモリ送信制御方法によるソフトウェアを実行するマイクロプロセッサ等から構築されるハードウェアを示すものである。同図において、メモリ送信制御化システムはインターフェース（以下Ｉ／Ｆと略す）４１、ＣＰＵ４２、ＲＯＭ４３、ＲＡＭ４４、表示装置４５、ハードディスク４６、キーボード４７及びＣＤ−ＲＯＭドライブ４８を含んで構成されている。また、汎用の処理装置を用意し、ＣＤ−ＲＯＭ４９などの読取可能な記憶媒体には、本発明のファクシミリ装置におけるメモリ送信制御方法を実行するプログラムが記憶されている。更に、Ｉ／Ｆ４１を介して外部装置から制御信号が入力され、キーボード４７によって操作者による指令又は自動的に本発明のプログラムが起動される。そして、ＣＰＵ４２は当該プログラムに従って上述のファクシミリ装置におけるメモリ送信制御方法に伴う制御処理を施し、その処理結果をＲＡＭ４４やハードディスク４６等の記憶装置に格納し、必要により表示装置４５などに出力する。以上のように、本発明のファクシミリ装置におけるメモリ送信制御方法を実行するプログラムが記憶した媒体を用いることにより、既存のシステムを変えることなく、メモリ送信制御化システムを汎用的に構築することができる。
【００１５】
なお、本発明は上記実施例に限定されるものではなく、特許請求の範囲内の記載であれば多種の変形や置換が可能であることは言うまでもない。
【００１６】
【発明の効果】
以上説明したように、メモリ送信機能を有する、本発明のファクシミリ装置は、複数のメモリ送信に関する送信データを記憶する記憶部と、メモリ送信の発呼間隔を計時するタイマと、メモリ送信時第一相手先に対して再発呼が必要な場合にタイマが計時した再発呼までの時間内に別の相手先のメモリ送信を行うように制御する主制御部とを有することに特徴がある。よって、第一相手先が通話中などによりファクシミリが再発呼待機状態になった際にこの待機時間を利用して他のメモリ送信を行うことができ、通信効率が良くなる。
【００１７】
また、主制御部は、記憶部に記憶された別の相手先のメモリ送信データのそれぞれのデータ量による通信時間を予測し、予め設定されている再発呼間隔内に通信が完了可能な相手先のメモリ送信を優先して行うように制御する。よって、再発呼待機中のファクシミリ通信の再発呼間隔に影響することなく、かつ効率良く通信を行うことが可能となる。
【００１８】
更に、別の発明としてのファクシミリ装置におけるメモリ送信制御方法によれば、メモリ送信時、第一相手先に対して再発呼が必要な場合に再発呼までの時間内に別の相手先のメモリ送信を行うように制御する。よって、通信効率が良くなる。
【００１９】
また、別の相手先のメモリ送信データのそれぞれのデータ量による通信時間を予測し、予め設定されている再発呼間隔内に通信が完了可能な相手先のメモリ送信を優先して行うように制御する。よって、より一層通信効率が向上する。
【００２０】
更に、別の発明として、上記ファクシミリ装置におけるメモリ送信制御方法を実行するためのプログラムを格納したコンピュータ読み取り可能な記録媒体に特徴がある。よって、既存のシステムを変えることなく、メモリ送信制御化システムを汎用的に構築することができる。
【図面の簡単な説明】
【図１】本発明の一実施例に係るファクシミリ装置の構成を示すブロック図である。
【図２】本実施例のファクシミリ装置の動作を示すフローチャートである。
【図３】本実施例のファクシミリ装置の別の動作を示すフローチャートである。
【図４】本発明のシステム構成を示すブロック図である。
【符号の説明】
１０；ファクシミリ装置、１１；操作表示部、１２；主制御部、
１３；網制御部、１４；モデム、１５；メモリ、１６；タイマ。
【図１】
2004312580.tif 000003
【図２】
2004312580.tif 000004
【図３】
2004312580.tif 000005
【図４】
2004312580.tif 000006